(57)【要約】【課題】輸送時に光拡散シートとレンズシートとが擦れ合って該シートに擦り傷が付いて明るさムラが引き起こされたりすることが無く、かつ、温度・湿度などの環境変化が大きく起きても輝度向上シートにシワが生じ難くて明るさムラが引き起こされることも無く、更には大型画面の表示装置に好適であって、しかも製造が簡単で、低廉なコストで得られるバックライト用輝度向上装置を提供することである。【解決手段】光拡散シートとレンズシートとを具備したバックライト用輝度向上装置の製造方法であって、光拡散シート上に透明接着層を設ける透明接着層積層工程と、前記透明接着層上に反射層を設ける反射層積層工程と、レンズシートの入射面側のレンズ部先端側が前記反射層を貫通して前記透明接着層に到達するように該レンズシートを前記光拡散シートに対して押圧する押圧工程とを具備する。【選択図】図1
2009163904.tif 000002
【特許請求の範囲】
【請求項１】
光拡散シートとレンズシートとを具備したバックライト用輝度向上装置の製造方法であって、
光拡散シート上に透明接着層を設ける透明接着層積層工程と、
前記透明接着層上に反射層を設ける反射層積層工程と、
レンズシートの入射面側のレンズ部先端側が前記反射層を貫通して前記透明接着層に到達するように該レンズシートを前記光拡散シートに対して押圧する押圧工程
とを具備することを特徴とするバックライト用輝度向上装置の製造方法。
【請求項２】
押圧工程は、レンズシートのレンズ部と透明接着層とが接続されると共に、レンズシートのレンズ部側面と反射層とで囲まれる領域に空気層が残る程度に押圧される工程である
ことを特徴とする請求項１のバックライト用輝度向上装置の製造方法。
【請求項３】
光拡散シートとレンズシートとを具備したバックライト用輝度向上装置であって、
前記光拡散シートには透明接着層が積層され、前記透明接着層には反射層が積層されてなり、
前記反射層を貫通した前記レンズシートの入射面側のレンズ部先端側が、前記透明接着層によって接合されてなる
ことを特徴とするバックライト用輝度向上装置。
【請求項４】
レンズシートのレンズ部側面と反射層とで囲まれる領域に空気層を有する
ことを特徴とする請求項３のバックライト用輝度向上装置。
【発明の詳細な説明】
【技術分野】
【０００１】
本発明はバックライト用輝度向上装置に関する。例えば、液晶表示装置や看板などのバックライトに用いられるバックライト用輝度向上装置に関する。
【背景技術】
【０００２】
液晶表示装置のバックライトとして、例えば背面光源と拡散シートとを備えた直下型の面光源が知られている。すなわち、液晶表示装置では、観察者正面の明るさが重要である為、バックライトの前面に輝度向上の為のレンズシートを設けることが提案されている。
【０００３】
例えば、プリズムシートを利用する方法が提案（特開昭６２−１４４１０２号公報）されている。又、輝度を更に向上させる目的や左右と上下の視野角を別々に制御する目的で、シートを複数用いることが提案（特開平９−１９７１０９号公報）されている。又、バックライトとして、例えば端部に設けられた光源からの光を平面方向に伝達する導光板を使用した、所謂、エッジライト式の面光源も提案（特開平８−２２１０１３号公報）されている。又、離れた場所にいる観察者に画像を送ることができる変調装置を有する電子光学ディスプレーに使用するバックライト組立体であって、（ａ）光発生装置と、（ｂ）前記光発生装置と前記変調装置との間で接近して配置された開口装置と、（ｃ）前記開口装置と前記変調装置との間に配置された第１の平行化装置であって、前記開口装置に接近した平坦な光入力面と、前記光入力面から離れそれと平行で光入力面より大きい表面積の平坦な光出力面とを有し、前記光線は全反射によって前記第１の平行化装置を通って伝えられほぼ平行なパターンで前記光出力面から出る第１の平行化装置と、（ｄ）前記第１の平行化装置と前記変調装置との間に配置された光入力面を有する第２の平行化装置であって、前記光入力面は、前記第１の平行化装置から前記ほぼ平行化された光線を受けると共に屈折を介して光線を伝達し、前記変調装置にさらに平行なパターンで前記光線を向ける第２の平行化装置と を有するバックライト組立体も提案（特表平９−５０５４１２号公報）されている。又、照明装置であって、（ａ）光源と、（ｂ）光源に極めて近接して配置され且つ少なくとも１つのマイクロプリズムを含む光指向組立体であって、同マイクロプリズムは、光源から射出された光を受け入れる入射面と、同入射面から遠位にあり且つ同入射面と平行な射出面と、同入射面と射出面との間に配設され且つ同入射面及び射出面に隣接し、同入射面に対して鈍角の傾斜角度を形成しており、更に、同入射面によって受け入れられた光線を全反射させるように配置された、少なくとも１つの側壁とを含む光指向組立体と、（ｃ）前記側壁を光が通過するのを遮断するための少なくとも１つの遮光手段とを含む照明装置も提案（特表２０００−５０７７３６号公報）されている。
【特許文献１】特開昭６２−１４４１０２号公報
【特許文献２】特開平９−１９７１０９号公報
【特許文献３】特開平８−２２１０１３号公報
【特許文献４】特表平９−５０５４１２号公報
【特許文献５】特表２０００−５０７７３６号公報
【発明の開示】
【発明が解決しようとする課題】
【０００４】
ところで、背面光源、光拡散シート、及び輝度向上シート等から構成された直下型の面光源では、光拡散シートと輝度向上シートと言った複数枚のシートが使用されている。この為、バックライトを組み立てる際の取扱いが煩雑である。
【０００５】
更には、バックライトあるいは液晶表示装置を輸送する際の振動で、二つのシートが互いに擦れ合ったりする。この結果、擦り傷が付き、明るさムラを引き起こす問題の有ることが判って来た。
【０００６】
又、輝度向上シートが薄い場合、温度や湿度などの環境変化によって、輝度向上シートにシワが生じることが判って来た。そして、このようなシワは明るさムラを引き起こす問題の有ることが判って来た。
【０００７】
尚、例えば前記特許文献３等の如く、導光板と輝度向上シートとを貼り合わせた構成であれば、このような問題は改善できる。しかしながら、近年、液晶表示装置は、そのサイズが大きくなっている。そして、エッジライト式の面光源は、直下型の面光源に比べ、画面サイズの大型化に不向きである。従って、大型の画面、例えば対角３２インチ以上の画面サイズにおいて、前記特許文献３の如きのエッジライト式のバックライトを採用する事は困難であった。
【０００８】
従って、本発明が解決しようとする課題は上記問題点を解決することである。
特に、輸送時に光拡散シートとレンズシートとが擦れ合って該シートに擦り傷が付いて明るさムラが引き起こされたりすることが無く、かつ、温度・湿度などの環境変化が大きく起きても輝度向上シートにシワが生じ難くて明るさムラが引き起こされることも無く、更には大型画面の表示装置に好適であって、しかも製造が簡単で、低廉なコストで得られるバックライト用輝度向上装置を提供することである。
【課題を解決するための手段】
【０００９】
前記の課題は、
光拡散シートとレンズシートとを具備したバックライト用輝度向上装置の製造方法であって、
光拡散シート上に透明接着層を設ける透明接着層積層工程と、
前記透明接着層上に反射層を設ける反射層積層工程と、
レンズシートの入射面側のレンズ部先端側が前記反射層を貫通して前記透明接着層に到達するように該レンズシートを前記光拡散シートに対して押圧する押圧工程
とを具備することを特徴とするバックライト用輝度向上装置の製造方法によって解決される。
【００１０】
特に、光拡散シートとレンズシートとを具備したバックライト用輝度向上装置の製造方法であって、
光拡散シート上に透明接着層を設ける透明接着層積層工程と、
前記透明接着層上に反射層を設ける反射層積層工程と、
レンズシートの入射面側のレンズ部先端側が前記反射層を貫通して前記透明接着層に到達するように該レンズシートが前記光拡散シートに対して押圧され、この押圧は、該レンズシートのレンズ部と該透明接着層とが接続されると共に、該レンズシートのレンズ部側面と該反射層とで囲まれる領域に空気層が残る程度の押圧である押圧工程
とを具備することを特徴とするバックライト用輝度向上装置の製造方法によって解決される。
【００１１】
又、光拡散シートとレンズシートとを具備したバックライト用輝度向上装置であって、
前記光拡散シートには透明接着層が積層され、前記透明接着層には反射層が積層されてなり、
前記反射層を貫通した前記レンズシートの入射面側のレンズ部先端側が、前記透明接着層によって接合されてなる
ことを特徴とするバックライト用輝度向上装置によって解決される。
【００１２】
特に、光拡散シートとレンズシートとを具備したバックライト用輝度向上装置であって、
前記光拡散シートには透明接着層が積層され、前記透明接着層には反射層が積層されてなり、
前記反射層を貫通した前記レンズシートの入射面側のレンズ部先端側が、前記透明接着層によって接合されてなり、
前記レンズシートのレンズ部側面と前記反射層とで囲まれる領域に空気層を有する
ことを特徴とするバックライト用輝度向上装置によって解決される。
【発明の効果】
【００１３】
本発明のバックライト用輝度向上装置は、光拡散シートとレンズシートとが透明接着層によって接着（貼着：一体化）された構成である。
【００１４】
従って、輸送時に振動や揺れ等の外力が作用しても、シートが互いに擦れて傷付くことは起きない。この為、傷付きに起因する明るさムラが引き起こされ無い。かつ、温度・湿度などの環境変化が大きく起きても、シートにシワが生じ難い。この為、シワ発生に起因する明るさムラが引き起こされ難い。
【００１５】
更には、光拡散シートとレンズシートとが一体になっていることから、バックライトへの組込みが容易である。そして、低廉なコストでバックライト装置が得られる。
【００１６】
又、画面サイズの大型化にも好適である。
【発明を実施するための最良の形態】
【００１７】
本発明はバックライト用輝度向上装置の製造方法である。特に、光拡散シートとレンズシート（例えば、レンチキュラーレンズシート）とを具備したバックライト用輝度向上装置（輝度向上シート）の製造方法である。そして、光拡散シート上に透明接着層を設ける透明接着層積層工程を有する。又、前記透明接着層上に反射層を設ける反射層積層工程を有する。尚、透明接着層積層工程と反射層積層工程とは、順に行われても良く、或いは同時に行われても良い。そして、反射層積層工程によって反射層が設けられた後、レンズシートの入射面側のレンズ部先端側が前記反射層を貫通して前記透明接着層に到達するように該レンズシートを前記光拡散シートに対して押圧する押圧工程を有する。前記押圧工程は、好ましくは、レンズシート（例えば、レンチキュラーレンズシート）のレンズ部（例えば、レンチキュラーレンズ部）と透明接着層とが接続（接着）されると共に、レンズシートのレンズ部側面と反射層とで囲まれる領域に空気層が残る程度に押圧される工程である。
【００１８】
上記製造工程を経て次の構成のバックライト用輝度向上装置（輝度向上シート）が得られる。すなわち、光拡散シートとレンズシート（例えば、レンチキュラーレンズシート）とを具備したバックライト用輝度向上装置（輝度向上シート）が得られる。特に、光源側から光拡散シートとレンズシート（例えば、レンチキュラーレンズシート）とが順に配置・一体化（接着・一体化）されたバックライト用輝度向上装置（輝度向上シート）が得られる。前記光拡散シートには、その出射面側に透明接着層が積層されている。前記透明接着層上には反射層が積層されている。前記レンズシート（例えば、レンチキュラーレンズシート）は、その入射面側に複数個のレンズ部（例えば、レンチキュラーレンズ部）を有する。そして、前記反射層を貫通した前記レンズシートの入射面側のレンズ部先端側が、前記透明接着層によって接合（貼着）されている。そして、レンズ部と透明接着層との界面部（接触部）が透光部（開口部）となっている。又、前記レンズ部と前記透明接着層との界面部、即ち、前記透光部（開口部）以外の領域が、前記反射層で遮られている。又、更に好ましくは、レンズシートのレンズ部側面と反射層とで囲まれる領域に空気層を有する。
【００１９】
以下、更に、詳細に説明する。
図１は、本発明のバックライト用輝度向上装置（バックライト用輝度向上シート）の概略図である。
【００２０】
光源１から出射した光は、光源側に位置した拡散シート（光拡散シート；光源側拡散シート）２に入光する。そして、入光した光は拡散シート２によって拡散され、面内の輝度が均一化される。
【００２１】
拡散シート２によって拡散された光の一部は、透明接着層３とレンズシート（レンチキュラーレンズシート）４のレンズ部（レンチキュラーレンズ部）４ａとの接触対応部分（界面対応部分：開口部：透光部：後述の反射層６と反射層６との間の領域）５に入射する。
【００２２】
レンチキュラーレンズシート４のシート面（図１中、シート上面）に対して垂直に近い角度（小さい入射角）で開口部（透光部）５に入射した光は、そのままレンズ部４ａ内を直進し、シート面に対し垂直に近い角度（小さい出射角）で出射する。シート面に対し大きい入射角で開口部５に入射した光は、レンズ部４ａ内を直進後、レンズ部４ａの斜面（図１では放物面）で反射され、シート面に対し垂直に近い角度（小さい出射角）で出射する。従って、レンチキュラーレンズシート４の開口部５に入射した光は正面（図１中、上面）方向に集光される。
【００２３】
一方、拡散シート２により拡散された光の一部は、開口部５以外の反射層６で反射される。反射層６で反射された光は、拡散シート２内に反射・拡散される。この反射・拡散光は、再び、レンチキュラーレンズシート４の開口部５に入射する。そして、正面方向に集光されて出射する。尚、レンチキュラーレンズシート４の開口部５に入射しなかった残りの反射・拡散光は上記過程を同様に経る。尚、光が反射層６で反射され、再び、レンチキュラーレンズシート４の開口部５から出射する現象を光の再利用と称することがある。
【００２４】
以上の如く、本発明のバックライト用輝度向上装置（輝度向上シート）は、拡散シート２により光を拡散して面内の輝度を均一化し、更に出射面側に配置されたレンチキュラーレンズシート４により正面方向に集光が行なわれるので、高い正面輝度を実現できる。
【００２５】
尚、光源１の背面に反射シート（反射装置：図示せず）を設けると、光源１からの光を有効に利用できる。又、光の再利用において、拡散シート２内で出射側に拡散反射されず、光源１側へ到達した光を有効に利用できる。従って、反射装置を設けておくことは好ましいことである。
【００２６】
レンズ部（レンチキュラーレンズ部）４ａの断面形状は、開口部５から様々な角度で入射した光を正面方向へ出射する形状であれば、如何なる形状でも良い。別の見方をすれば、輝度向上シート（レンチキュラーレンズシート４）の出射面側から該シート面に対して垂直方向に平行光を入射した時、開口部５のみに集光する反射面を有する形状であれば良い。例えば、図１に示される略放物線形とか、図３に示される台形が好ましい例として挙げられる。又、図４，５に示される如く、曲線形（断面が曲線形）と直線形（断面が直線形）を、適宜、組み合わせることも出来る。
【００２７】
レンズ部４ａにおける開口部５は、前記放物線の焦点近傍、より詳細には、レンズ部４ａの頂点から焦点まで距離の約０．８〜２．５倍付近に形成されることが好ましい。すなわち、このような形状にした場合、より効果的に正面方向の輝度を向上できたからである。尚、貼り合せによりレンズ部（レンチキュラーレンズ部）４ａの断面形状が変形した場合、或いは不明瞭になった場合、前記レンズ部４ａの頂点はレンズ斜面の形状から求められる仮想的な頂点で代用される。
【００２８】
レンズ部４ａ間の空気部７界面と接するレンズ斜面（側面）の入射面側に最も近い箇所おける角度は、開口部５中央を通る光に対して臨界角以上とすることが好ましかった。これは、レンズ斜面で全反射が生じ易く、光の利用効率が高くなったからである。同じような理由で、レンズ部４ａを構成する材料は屈折率が１．５以上の材料であることが好ましかった。
【００２９】
レンズ部（レンチキュラーレンズ部）４ａの高さ（透明接着層３と反射層６との界面からレンズ部４ａ間の谷間の位置までの高さ（距離））は、正面方向の輝度と視野角とを考慮して決定する。但し、レンズ部４ａのピッチの０．５〜３倍程度が好ましかった。これは、これより高さが低いと、正面方向の輝度を向上する効果が不十分となる場合が有ったからによる。逆に、これより高さが高いと、視野角が過度に狭くなり、又、成形が困難になったからである。
【００３０】
レンズ部４ａの成形や接着面のムラに起因する明るさムラ、特に斜め方向における明るさムラが目立つことが有る。このことが図２によって説明される。図２は、或るレンズ部４ａの間の開口部（透光部）５の端部（図２中Ａ）に光が斜めに入射し、同一レンズ部４ａの反対側のレンズ谷部（図２中Ｂ）近傍を通過する光の経路を示す概略図である。点Ａ及び点Ｂを通る光線Ｌは輝度向上シートの出射面において臨界角で入射しているものとする。レンズ部４ａの高さが過度に低い場合（図２中、破線で示す場合）、臨界角以上で通過する光線が多くなる為、出射面において全反射した光は、レンズ部４ａや反射層６で反射・散乱された後、観察側に出射し、正面方向の輝度向上には寄与しない。逆に、レンズ部４ａの高さが過度に高い場合（図２中、点線で示す場合）、臨界角以上で入射する光が無い為、正面方向の輝度は向上するものの、視野角が過度に狭くなる。視野角特性は、図２中、点Ａ及び点Ｂ’を通過する光線Ｌ’より大きい角度で出射が殆ど無い、所謂、カットオフ特性となる。この為、レンズ部４ａの成形や貼り合せの工程での開口部５の幅のバラツキが、そのまま、カットオフ角のバラツキに影響を及ぼす。この結果、カットオフ角付近での明るさムラが顕著になる。従って、レンズ部４ａの高さは、図２中の点Ｂ（光線が臨界角で通過する点Ｂ）の高さの０．８〜１．５倍程度に設定されることが好ましい。
【００３１】
レンズシート４におけるレンズ部４ａのピッチは３０μｍ〜３００μｍであることが好ましかった。すなわち、３０μｍ未満の小さな場合には、製造が困難である。逆に、３００μｍを越えて大きな場合には、液晶画面の画素ピッチとレンズピッチとが干渉して見えるモアレ模様が目立つようになったからである。
【００３２】
開口部（透光部）５の幅はレンズ部４ａのピッチの２０％〜５０％であることが好ましかった。すなわち、レンズピッチの２０％未満の小さな場合には、接着幅が小さく、成形が困難になったからである。逆に、５０％を越えて大きくなった場合には、正面方向の輝度を向上する効果が不十分となったからである。開口部５の幅は、シート中央部と端部とで異なっても良い。すなわち、端部における開口部５の幅を中央部における開口部５の幅より大きくした場合、端部の視野角が広がり、正面から画面を見た場合、端部が暗くなることを防ぐことが出来たからである。
【００３３】
レンチキュラーレンズシート４の出射面には、傷付き防止やモアレ防止などの為、正面方向の輝度向上に悪影響を及ぼさない程度の拡散層を設けても良い。又、視野角特性を更に調整する為、微細な表面凹凸を設けても良い。レンチキュラーレンズ部４ａの配列方向と同じ配列方向に出射面レンズ列（例えば、プリズム列）を設けても良い。又、水平と垂直の視野角特性を、各々、調整する為、レンチキュラーレンズ部４ａの配列方向と交差する配列方向に出射面レンズ列を設けても良い。
【００３４】
レンチキュラーレンズシート４の厚みには格別な制限は無い。但し、レンズ部４ａの高さの１．５倍以上であることが好ましかった。すなわち、前記値より小さな場合には、レンズ列に沿って裂けが生じる場合が有った。この為、輝度向上シートの取扱い時に注意が要求されたからである。すなわち、耐久性に問題が認められたからである。
【００３５】
拡散シート２に積層された反射層６は、酸化チタン、酸化亜鉛、炭酸カルシウムなどの白色顔料を混合した白インク、金属粉末を混合した反射性のインクと言った塗料を塗布することで構成できる。或いは、金属薄膜層を蒸着などで構成しても良い。塗布によって設ける場合には、透明接着層３と反射層６とを同時に重層塗布することでも構成できる。勿論、透明接着層３を設けた後で反射層６を設けても良い。
【００３６】
反射層６は、光を十分に反射する厚みが有れば良い。例えば、白インクの場合には、反射層６の厚みは５μｍ以上であることが好ましかった。但し、反射層６が過度に厚い場合は、空気界面と接するレンズ斜面の面積割合が小さくなる。その結果、全反射を利用して光線を反射することが困難になった。従って、反射層６は２０μｍ以下の厚さであることが好ましい。尚、反射層６を塗布によって構成する場合、例えば白色インク等における基材としては、熱硬化性樹脂、溶剤型接着剤、紫外線硬化性樹脂などが好ましい。
【００３７】
拡散シート２に積層された透明接着層３は、レンズ部４ａと略同一の屈折率を持つ材質で構成することが好ましい。なぜならば、レンズ部４ａと略同一の屈折率を持つ材質で構成した場合、光学設計が容易になるからである。透明接着層３は、レンズ部４ａの頂点から開口部５までの距離以上の厚さを持つことが必要である。但し、上限値には格別な制約は無い。しかしながら、過度に厚い場合、拡散シート２とレンズシート４とを押圧して貼り合わせる工程において、押圧力にムラが生じると、レンズ部４ａの頂点から開口部５までの距離にもムラが生じる。従って、透明接着層３の厚みをレンズ部４ａの頂点から開口部５までの距離と同程度にすることが好ましい。又、透明接着層３は、透明接着剤を塗布したり、或いは透明な粘着シートを貼ることなどで構成される。
【００３８】
拡散シート２の出射面側（図１中、上面側）は、貼り合せを考慮すると、平坦であることが好ましい。尚、貼り合せ前の取扱いによる傷付き防止や接着力の向上の為、出射面側にレンズシート４のレンズピッチよりも微細な凹凸を設けても良い。
【００３９】
拡散シート２の入射面側は平坦であっても良いし、微細な凹凸形状やレンズ列が形成されていても良い。背面光源１が線状光源、又は点状光源が線状に配列された光源である場合、拡散シート２の入射面側には、線状光源、又は点状光源の配列長手方向と平行なレンズ列を設けることが好ましい。なぜならば、面内の輝度が均一化されるからである。
【００４０】
拡散シート２は、例えば光拡散剤を混入した合成樹脂製シートで構成できる。ここで、光拡散剤を用いるのは、次のような理由に基づく。拡散シート２の光拡散力がその表面形状のみによる場合、反射層６で反射された光が拡散シート２で十分には出射面側に拡散・反射されず、光の再利用効率が高まらないからである。
【００４１】
拡散シート２を複数層構成とし、入射面側（図１中、下面側）の拡散力が出射面側（図１中、上面側）の拡散力より大きな層とすることは好ましい例である。例えば、出射面側が透明層、入射面側が拡散剤含有層とする構成である。このようにした場合、再利用される光がレンズシート４の開口部５に入射する確率が高くなり、光の利用効率が高くなった。尚、拡散力が小さい（或いは、無い）層の厚みはレンズピッチの約０．５倍以上は有ることが好ましい。
【００４２】
レンズシート４は公知の製造方法によって製造できる。例えば、押出法や、紫外線硬化性樹脂を用いた転写法によって製造できる。
【００４３】
尚、上記においては、拡散シート２にレンチキュラーレンズシート４を貼り合せる構成としたが、レンチキュラーレンズシート４を、一旦、基材シートに貼り合せ、拡散シート２と重ね合わせても、同様に、光の再利用効果が発揮される。又、前記貼り合わせたレンチキュラーレンズシート４と拡散シート２との間に別の拡散シートや偏光性シートを重ね合わせてもよい。
【００４４】
以下、より具体的な実施例を挙げて本発明を説明するが、本発明が下記の実施例に限定されるものでないことは当然のことである。
【００４５】
［実施例］
先ず、下面側から全厚の９０％の領域まで光拡散剤（平均粒径８μｍの架橋スチレン系微粒子）が均一に５ｗｔ％含有されていると共に、それより上側の領域には光拡散剤が含有されていない全厚２ｍｍの拡散シート２を用意した。尚、拡散シート２はスチレン・メタクリル酸メチル共重合体系樹脂製のものであって、該シート２の光屈折率は１．５５であった。
【００４６】
そして、拡散シート２の光拡散剤が含有されていない側の面上に、１０μｍ厚の透明接着層（アクリル系粘着シート）３を剥離転写により設けた。続いて、透明接着層３上に、酸化チタン含有塗料を塗布し、１０μｍ厚の反射層６を設けた。
【００４７】
一方、レンチキュラーレンズシート４を用意した。
【００４８】
そして、レンチキュラーレンズシート４のレンズ部４ａを拡散シート２の反射層６に当てて押圧力を加えた。すなわち、レンズ部４ａの先端部によって反射層６を押し退け、レンズ部４ａの先端部を反射層６を貫通させて透明接着層３に到達（レンズ部４ａの先端部を透明接着層３によって拡散シート２に接着（貼着））させると共に、レンズ部４ａの側面と反射層６とで囲まれる領域７に空気が残るようにした。
【００４９】
尚、レンチキュラーレンズシート４の諸特性、及び押圧による接着（貼着）後のレンズ部４ａの諸特性は下記の表−１に示すものであった。
表−１
レンズ部４ａのピッチ                      ０．０８０ｍｍ
レンズ部４ａにおける光屈折率              １．５５
レンズ部４ａの側面形状（断面形状）        ｙ＝（８３．３３／２）ｘ２で表される放物線の形状（但し、ｙはレンズ部４ａの高さ、ｘはレンズ部４ａの幅方向の距離。原点はレンズ部４ａの頂点。）
レンズ部４ａ先端から開口部５までの距離    ０．００６ｍｍ
開口部５の幅                              ０．０２４ｍｍ（開口率：３０％）
レンズ部４ａの端部高（透明接着層３と反射層６との界面からレンズ部４ａ間の谷間点の位置までの高さ（距離））            ０．０６７ｍｍ
レンズ部４ａの端部角（レンズ部４ａ間の谷間点での接線の角度）７３．３°
【００５０】
上記のようにして得られたバックライト用輝度向上シートの視野角特性を調べたので、その結果を図６に示す。尚、図６に示される特性のバックライト用輝度向上シートは、レンチキュラーレンズシート４の出射面側に下記の表−２に示される特性の拡散層が設けられたものである。
表−２
ヘイズ                                    ７８％
視野半値角α                              ４．１°
視野１／３値角β                          ６．０°
視野１／１０値角γ                        １２．９°
【００５１】
図６には、レンチキュラーレンズシート４が貼り合わされていない場合（比較例になるバックライト用輝度向上シート）が点線で示されている。これによれば、本発明になるバックライト用輝度向上シートは、比較例になるものに比べて正面輝度が約１．５倍も有り、視野角特性に優れていることが判る。
【００５２】
又、本発明になるバックライト用輝度向上シートは、レンチキュラーレンズシート４を、透明接着層３及び反射層６が積層された拡散シート２に押し当て、レンズシート４のレンズ部４ａ先端側が反射層６を貫通して透明接着層３に到達・接着させるのみの簡単な作業で済み、極めて簡単・低コストで得られる。
【図面の簡単な説明】
【００５３】
【図１】本発明のバックライト用輝度向上装置の概略図
【図２】レンズ部の開口部端部に入射した光の経路を示す概略図
【図３】本発明のバックライト用輝度向上装置の他の例の概略図
【図４】レンズ部の他の形状例の概略図
【図５】レンズ部の他の形状例の概略図
【図６】視野角特性の説明図
【符号の説明】
【００５４】
１          光源
２          拡散シート（光拡散シート；光源側拡散シート）
３          透明接着層
４          レンズシート（レンチキュラーレンズシート）
４ａ        レンズ部（レンチキュラーレンズ部）
５          開口部
６          反射層
７          空気部
特許出願人  株式会社クラレ  
代  理  人  宇  高  克  己  
【図１】
2009163904.tif 000003
【図２】
2009163904.tif 000004
【図３】
2009163904.tif 000005
【図４】
2009163904.tif 000006
【図５】
2009163904.tif 000007
【図６】
2009163904.tif 000008